(57)【要約】      （修正有）【課題】足寸法測定装置の操作性を改良し、組立作業を容易かつ短時間で可能とする。【解決手段】足底を載せるための台板１、踵位置決め部３、足長さを表す多数の目盛を有する第１の目盛尺部１３、足長さの一定割合の縮尺で第１の目盛尺部と同一の目盛を付された第２の目盛尺部１５、第１の目盛尺部１３に沿って移動自在のスライド板９、第２の目盛尺部に沿って移動自在のスライド板１１、及びスライド板１１に設けた甲周長を測定するためのテープ状計測尺２３よりなり、第１、第２のスライド板９、１１を２本のガイドレール５、５により滑動自在に支持し、スライド板９、１１を下方に開放し１８０度を超える形の軸受スリーブ２９でガイドレールに支承させ、またガイドレールの下面側を台板の突縁部で保護した。【選択図】図１
2005328986.tif 000002
【特許請求の範囲】
【請求項１】
足底を載せるための台板、該台板上に固定された踵位置決め部、該台板上に表示された、該踵位置決め部から足先までの寸法を表す多数の目盛を有する第１の目盛尺部、前記台板上に表示された、該踵位置決め部から足先までの寸法の一定割合の縮尺で第１の目盛尺部と同一の目盛を付された第２の目盛尺部、前記踵位置決め部から足先までの寸法を計測するために前記第１の目盛尺部に沿って移動自在の足長指示部、前記第２の目盛尺部に沿って移動自在で前記一定割合の部位を指示する甲位置指示部、及び前記第２のスライド板に設けた甲周長を測定するためのテープ状尺を有する足寸法測定装置において、
前記足長指示部は前記踵から前記台板の少なくとも１側縁部に沿って足先方向に延びている少なくとも１本のガイドレールにより滑動自在に支持された第１のスライド板に設けられ、前記位置指示部は前記第１のスライド板よりも踵側において前記少なくとも１本のガイドレールに滑動自在に支持された第２のスライド板に設けられ、前記第２のスライド板には甲周長を測定するためのテープ状計測尺が設けられていることを特徴とする足寸法計測装置。
【請求項２】
前記少なくとも１本のガイドレールは前記台板の両側縁部に沿って足先方向に延びている２本のガイドレールである請求項１に記載の足寸法計測装置。
【請求項３】
前記第１及び第２のスライド部材は、軸受を介して前記少なくとも１本のガイドレールのそれぞれに支持されており、前記軸受の各々は下方が開放し且つ対応した各前記ガイドレールに上方から弾発的に嵌合できる範囲で１８０度を超える円弧状の断面を有する低摩擦合成樹脂製スリーブよりなることを特徴とする請求項１又は２に記載の足寸法計測装置。
【請求項４】
前記台板の前記側縁部は前記少なくとも１本のレールの下方を覆うように側方へ延長する凸縁部を有する請求項１又は２に記載の足寸法計測装置。
【請求項５】
前記甲周長測定尺の前記第２のスライドに対する取付角度は左右足の甲回りを測定できるように右用と左用に切り替え可能である請求項１又は２に記載の足寸法計測装置。
【発明の詳細な説明】
【技術分野】
【０００１】
本発明は、販売時及び靴の研究、開発、製造時において、顧客の足寸法を知るために利用される足計測装置に関する。
【背景技術】
【０００２】
靴の寸法を決定する最も重要な足の寸法は、足の長さと最大甲回り寸法であることが知られている。つまり、これらの寸法を正確に把握できれば殆どの場合に各個人の足にほぼフィットする靴を製造し、或いは探すことが可能である。
【０００３】
従来の簡易な足計測方法は、特開２００４−６１８号のように一枚の透明シート上に多数の異なった足形及びそれらの長さを表す多数の目盛と、これらの足形の長さの一定割合の部分（すなわち甲の最大周長部分が予想される部分）を横断する多数の線及びその目盛とを印刷したシートを利用し、シートに足を載せ、踵部の印しを基準として足先に相当する目盛りすなわち足の長さを読み取り、その目盛りと同じ目盛に相当する横断線の部分を甲部に巻き付けて甲部の周長を読み取る。しかし、踵合わせが難しく、多数の目盛の中から目的の目盛を読み取るには熟練を要し、測定誤差が生じやすい。
【０００４】
特開２００１−２８６３０６号には所定寸法の足形に形成した多数の型紙を用意し、この型紙に最大の甲周長に相当する部分に測定用目盛の付いた帯を設けたものが記載されている。この例では異なった足長に対応した寸法を有する多数の型紙を用意しなければならないので同様に使い勝手が悪い。
【０００５】
これに対して、全ての足長さと最大の甲周長が測定できる装置が提案されているが、特許文献は見当たらない。この装置は、足底を載せるための台板、該台板上に固定された踵位置決め部、該台板上に表示された、該踵位置決め部から足先までの寸法を表す多数の目盛を有する第１の目盛尺部、前記台板上に表示された、該踵位置決め部から足先までの寸法の一定割合の縮尺で第１の目盛尺部と同一の目盛を付された第２の目盛尺部、前記踵位置決め部から足先までの寸法を計測するために前記第１の目盛尺部に沿って移動自在の足長指示部、及び前記第２の目盛尺部に沿って移動自在で前記一定割合の部位を指示する甲位置指示部を有する。この装置を使用するには、台板に足を載せ、踵位置決め部に踵を合わせ、足長指示部を足先まで移動して足長を第１の目盛尺部の目盛から読み取り、この目盛と同一の第２の目盛尺部の目盛に甲位置指示部を移動させ、その状態で甲周長を測定する。この装置は誰にでも簡単に取り扱え、また測定結果が正確である。
【０００６】
【特許文献１】特開２００４−６１８号公報
【特許文献２】特開２００１−２８６３０６号公報
【発明の開示】
【発明が解決しようとする課題】
【０００７】
しかし、上記の装置では足長指示部及び位置指示部から垂下する一対の脚部が台板に設けられた一対のガイド溝に嵌合しており、足長指示部及び位置指示部をガイド溝に沿って手で移動させるようになっているが、左右の脚部が同時平行にスライドできず、操作に円滑性を欠く問題がある。又この装置では脚部を溝に組み込むには脚部を台板の溝に嵌合し、台板の底部から脚部を止める必要があり、組立に面倒な作業と時間を要する。
【課題を解決するための手段】
【０００８】
本発明はこの問題を解決するためになされたものであり、足底を載せるための台板、該台板上に固定された踵位置決め部、該台板上に表示された、該踵位置決め部から足先までの寸法を表す多数の目盛を有する第１の目盛尺部、前記台板上に表示された、該踵位置決め部から足先までの寸法の一定割合の縮尺で第１の目盛尺部と同一の目盛を付された第２の目盛尺部、前記踵位置決め部から足先までの寸法を計測するために前記第１の目盛尺部に沿って移動自在の足長指示部、前記第２の目盛尺部に沿って移動自在で前記一定割合の部位を指示する甲位置指示部、及び前記第２のスライド板に設けた甲周長を測定するためのテープ状計測尺を有する足寸法測定装置を改良する。
【０００９】
すなわち、本発明は、足長指示部を踵から台板の両側縁部に沿って足先方向に延びている少なくとも１本のガイドレールにより滑動自在に支持された第１のスライド板に設け、位置指示部を第１のスライド板よりも踵側において前記少なくとも１本のガイドレールに滑動自在に支持された第２のスライド板に設け、スライド板は角度ずれが生じないでガイドレールにより円滑にガイドされる。
【００１０】
好ましくは、第１及び第２のスライド部材は、軸受を介して前記少なくとも１本のガイドレールのそれぞれに支持されており、軸受の各々は下方が開放し且つ対応した各前記ガイドレールに上方から弾発的に嵌合可能な範囲で１８０度を超える円弧状の断面を有する低摩擦合成樹脂製スリーブよりなる。これにより両スライド板の軸受けをガイドレール上に位置させ、上から力を加えて押し下げることにより、組立が容易に実施でき、また両スライド板の円滑な動作が得られる。
【００１１】
好ましくは、ガイドレールが台板の側縁部に設けられる場合には、台板の側縁部はガイドレールの下方を覆うように側方へ延長する突縁部を有する。これによりガイドレールに周囲の外来の紙、布等が絡むことが防止でき、スライド板の円滑な動作が実現できる。
また、前記甲周長測定尺の前記第２のスライドに対する取付角度は左右の足の甲回りを測定できるように切り替え可能にする。
【発明を実施するための最良の形態】
【００１２】
以下には２本のガイドレールを使用する実施例により詳しく説明するが、本発明ではガイドレールが円形断面を有することとそれに嵌合するスリーブ状の軸受の構造に照らし、ガイドレールとして一方を省略して一本のガイドレールのみを使用すること、又は台板の中心に沿って一本のガイドレールを設けることも可能であることに注意すべきである。この場合には第１及び第２スライド板が不安定とならないようにガイドレールから遠い部分を台板表面に接触させた状態でスライドできるようにするか又は小ローラを取り付けてガイドさせても良い。
【実施例】
【００１３】
以下に本発明の足寸法測定装置の実施例により詳しく説明する。図１は本発明の実施例による足寸法測定装置の平面図、図２は同正面図、図３は右側面図である。
足寸法測定装置は、アルミニウム等の金属又はプラスチック成形体等より成形した平板状の台板１と、その一端に起立した上から見て弧状の踵位置決め部３を設ける。台板１は足を載せる台である。足の踵をこの踵位置決め部の内面に接触させることで踵位置決めがなされ、他の足長の測定位置及び最大の甲周長の測定位置はこの位置を基準として測定される。
【００１４】
台板１の両側縁部に沿って平行な２本のガイドレール５、５が設けられる。ガイドレールはこの例では円形断面を有し金属棒又はパイプから形成される。ガイドレール５、５の両端は台板１の張出部６、６と張出部７、７に支持され、それらの間を延びている。これらのガイドレール５、５はプラスチック成形体の場合には台板１の射出成形の際に一緒にインサート成形するか、又はアルミ等のダイキャス成形体又はプラスチック成形体の場合には図示のように台板１の一端部から延びる貫通孔３５、３５からガイドレール５、５を挿入し、貫通孔の内ねじにビス３６をねじ込んでガイドレールの端部を固定することにより台板１に一定か又は固定することができる。
【００１５】
台板１の上面にはその一側の縁側に偏らせて、踵位置決め部３の末端位置４から足先までの寸法（足長）を表す多数の目盛を有する第１の目盛尺部１３が印刷等により設けられる。また台板１の他側の縁部側に偏らせて、踵位置決め部から足先までの寸法の一定割合の縮尺で第１の目盛尺部１３と同一の目盛を付された第２の目盛尺部１５が印刷等により設けられる。この一定割合とは約６７％であり、殆どの人の最大の甲回り周長の部位が足の長さの約６７％であるという経験則に基づくものである。最大の甲回り周長の方位は個人差があり、一般に足の横断方向に対して約１０度以上（右足では反時計回り、左足では時計回り）の方向に存在するので第２の目盛尺部１５の中心位置（下記の小回転板２５の位置）で足長の一定割合を表す。この方位は実測時に目で見て判断できる。
【００１６】
ガイドレール５、５には足の長さ（踵から足先までの距離）を測定するための第１のスライド板９が滑動自在に支持されている。第１のスライド板９には、第１の目盛尺部１３の目盛を読み取るための足長指示部１８が設けられている。第１のスライド板９には足先に当接する当接面１９が設けてある。また第１のスライド板９の中央部にはスライド板９を移動させるための手掛け部２０が設けられている。
【００１７】
ガイドレール５、５にはさらに足の最大の甲回りの部位を決めるための第２のスライド板１１が滑動自在に支持されている。第２のスライド板１１には、最大の甲回り周長の部位に自身を位置づけるために、第２の目盛尺部１５の目盛を読み取るための甲位置指示部２２が設けてある。この第２のスライド板１１は足底に配置されるため薄く形成される必要がある。第２のスライド板１１の中央部には甲周長を測定するための正規目盛のテープ状尺２３を取り付けた、約±１０度以上の範囲で回転できる小回転板２５が設けられている。この回転板２５は、第２のスライド板１１の裏面からねじ止めしたり、上下からスナップ式に嵌合できる樹脂製ブッシュで構成することができる。それに対する逃げを与えるために台板１の上面には溝２７が形成されている。しかし回転板２５が第２のスライド板１１の裏面に出ないような取付手段を有するならば溝２７は不要である。
【００１８】
第２のスライド板１１の両端には手掛け部２１、２１が起立している。第２のスライド板１１はこれらの手掛け部を操作して滑動される。手掛け部にはテープ状尺２３の最低の角度位置例えば約１０度を規定する傾斜面を有している。
【００１９】
第１のスライド板９及び第２のスライド板１１の両端部はそれぞれ軸受部１６、１７を介してガイドレール５、５に滑動自在に支持されている。これらの軸受部の構造は図５、図７に示されている。軸受部１６、１７には潤滑性の樹脂例えばポリアセタール等の低摩擦性で且つ剛性の高い材料から製作した軸受スリーブ２９を使用する。軸受スリーブ２９は円形断面のガイドレール５、５の外面に密着嵌合できる内径を有し、ガイドレールに上から弾発的に嵌合できる範囲で１８０度以上の弧状に形成され且つ下方が開放している。軸受スリーブ２９はビス３１によりスライド板９、１１に固定できる。第２のスライド板１１の場合には図６に示したように手掛け部２１と軸受けスリーブを一体化することによりビス止めを省略しても良い。
【００２０】
これらの軸受部の構成によると、スライド板９、１１をガイドレール５、５に組み付ける際に、単に軸受部１６、１７を上方から充分な力で押し付けるだけで軸受スリーブ２９は弾発的にガイドレール５、５に嵌合できるので組立が容易となり、又使用時にスライド板９、１１を移動させる際に両ガイドレールに支持された軸受スリーブ２９は互いに平行を保ち且つ円滑に移動できるので、スライド板の操作が容易である。
【００２１】
（使用方法）
使用において、先ず、足の踵の末端位置を踵位置決め部の末端位置４に合わせた状態で第１のスライド板９の当接面１９を足の爪先に当接させ、足長指示部１８が指し示す第１の目盛尺部１３の目盛を読み取る（図の例では２７０ｍｍ）。台板１から足を上げた状態で第２のスライド板１１の甲位置指示部２２を、第１の目盛尺部１３から読み取った目盛と第２の目盛尺部１５の目盛（図の例では２７０ｍｍ）に合わせる。これにより第２のスライド板１１の中心位置（小回転板２５の個所）は最大の甲回りの位置を占める。次いで最大の甲回り周長の部分を測定する。テープ状尺２３は左右どちらの足を測定するのかに応じて２つのうち所定の角度に設定し（図１の例は左足の場合。右足の測定には図１の位置からテープ状尺２３を小回転板２５と共に時計方向に約２０度以上回転させる）、次いで足を台板１に載せ、甲回りの周長を実測する。
【００２２】
さらに、ガイドレール５、５の下面側には台板１の両側縁部から突縁部３３が延び出しており、ガイドレールを保護している。突縁部がないと靴店内外であちこちに移動して使用される本発明の測定装置の環境に存在する繊維、紐、織物、敷物、地面の凹凸、芝生その他の異物がガイドレールに絡まり、或いはそのおそれがあるが、本発明の構造ではこれが防止できる。
【産業上の利用可能性】
【００２３】
以上のように、本発明は靴製造店や靴販売店等において、製靴や販売時に必要な顧客の主要な足寸法を測定するのに有利に使用できる。
【図面の簡単な説明】
【００２４】
【図１】本発明の足寸法測定装置の平面図である。
【図２】本発明の足寸法測定装置の正面図である。
【図３】本発明の足寸法測定装置の右側面図である。
【図４】図１のＡ−Ａ断面図である。
【図５】軸受け部の拡大Ａ−Ａ断面図である。
【図６】軸受け部の変形例による拡大Ａ−Ａ断面図である。
【図７】軸受け部の拡大Ｂ−Ｂ断面図である。
【符号の説明】
【００２５】
１  台板
３  踵位置決め部
４  末端位置
５、５  ガイドレール
６、６、７、７  張出部
９  第１のスライド板
１１  第２のスライド板
１３  第１の目盛尺部
１５  第２の目盛尺部
１６、１７  軸受部
１８  足長指示部
１９  当接面
２０  手掛け部
２１、２１  手掛け部
２２  甲位置指示部
２３  テープ状尺
２５  回転板
２７  溝
２９  軸受スリーブ
３１  ビス
３３  突縁部
【図１】
2005328986.tif 000003
【図２】
2005328986.tif 000004
【図３】
2005328986.tif 000005
【図４】
2005328986.tif 000006
【図５】
2005328986.tif 000007
【図６】
2005328986.tif 000008
【図７】
2005328986.tif 000009